(57)【要約】【課題】  大量のオブジェクトの中から目的とするオブジェクトを検索する為に、効率的な手段を提供し、再検索を容易に行う手段を提供する。【解決手段】  複数のオブジェクト（文字列、画像、音声、属性、ｅｔｃ…）から属性を抽出する手段、抽出された属性を選んでオブジェクトを再検索する手段により構成し、属性の検索も行え、オブジェクトの絞込みも行える。オブジェクト絞込みの後、目的のオブジェクトが、得られない場合、自動的に検索式を変更して再検索することが出来る。【選択図】  図１
2005327172.tif 000002
【特許請求の範囲】
【請求項１】
様々なリンク情報や属性情報を有する複数の種類のオブジェクト(データ)を蓄積し、
オブジェクトをキーワードを入力することによって絞込み検索を行うことができる電子機器において、
蓄積された複数のオブジェクトのうち、任意の複数のオブジェクトを選択する手段を有し、
選択された複数のオブジェクトから属性情報を抽出し、
それぞれの属性を共通にもつオブジェクトの数を集計する手段を有する
ことを特徴とするオブジェクト検索装置。
【請求項２】
請求項1に記載のオブジェクト検索装置において、
上記オブジェクトの種類のうちの１つまたは複数が、属性そのものである
ことを特徴とするオブジェクト検索装置。
【請求項３】
請求項2に記載のオブジェクト検索装置で且つ、属性を自動的または手動で追加できるオブジェクト検索装置において、
属性を自動的に付加したオブジェクトのみ、または手動で付加したオブジェクトのみを抽出する手段を有する
ことを特徴とするオブジェクト検索装置。
【請求項４】
請求項3に記載のオブジェクト検索装置において、
選択された複数のオブジェクトから属性情報を抽出し、
それぞれの属性を共通にもつオブジェクトの数の集計結果から、
その属性をもつオブジェクトの数を属性とともに表示する手段を有する
ことを特徴とするオブジェクト検索装置。
【請求項５】
請求項4に記載のオブジェクト検索装置において、
それぞれの属性を共通にもつオブジェクトの数の集計結果から、その属性をもつオブジェクトの数の多い順に属性を並べ替え、表示する手段を有する
ことを特徴とするオブジェクト検索装置。
【請求項６】
請求項5に記載のオブジェクト検索装置において、
属性を表示する際、属性の種別毎にまとめて表示する手段を有する
ことを特徴とするオブジェクト検索装置。
【請求項７】
請求項6に記載のオブジェクト検索装置において、
属性の種別が日付,時間である
ことを特徴とするオブジェクト検索装置。
【請求項８】
請求項6に記載のオブジェクト検索装置において、
属性の種別が場所である
ことを特徴とするオブジェクト検索装置。
【請求項９】
請求項6に記載のオブジェクト検索装置において、
自動付加オブジェクトと手動付加したオブジェクトを分けて表示する手段を有する
ことを特徴とするオブジェクト検索装置。
【請求項１０】
請求項5に記載のオブジェクト検索装置において、
表示された複数の属性に対して、ユーザが複数の属性を選択する手段を有し、
選択された複数の属性を論理演算式で連結して検索式を生成する手段を有する
ことを特徴とするオブジェクト検索装置。
【請求項１１】
請求項3に記載のオブジェクト検索装置において、
属性の集計時に全てのオブジェクトが含まれる日時の範囲を同時に集計する手段を有する
ことを特徴とするオブジェクト検索装置。
【請求項１２】
様々なリンク情報や属性情報を有する複数の種類のデータを蓄積し、
データをキーワードを入力することによって絞込み検索を行うことができる電子機器において、
キーワードの入力による検索結果全ての属性情報を抽出し、それぞれの属性を共通にもつ検索結果のオブジェクトの数を集計する手段を有する
ことを特徴とするオブジェクト検索装置。
【請求項１３】
請求項12に記載のオブジェクト検索装置において、
抽出された複数の属性をその属性に属する検索結果のオブジェクトの数の最も多い属性を抽出する手段を有する
ことを特徴とするオブジェクト検索装置。
【請求項１４】
請求項12に記載のオブジェクト検索装置において、
抽出された複数の属性を、その属性に属する検索結果のオブジェクトの数とともに表示する手段を有する
ことを特徴とするオブジェクト検索装置。
【請求項１５】
請求項14に記載のオブジェクト検索装置において、
抽出された複数の属性をその属性に属する検索結果のオブジェクトの数の多い順に属性を並べ替える手段を有する
ことを特徴とするオブジェクト検索装置。
【請求項１６】
請求項14ないし請求項15に記載のオブジェクト検索装置において、
表示された複数の属性に対して、ユーザが複数の属性を選択する手段を有し、
選択された複数の属性を論理演算式で連結して検索式を生成する手段を有する
ことを特徴とするオブジェクト検索装置。
【発明の詳細な説明】
【技術分野】
【０００１】
本発明は、複数のオブジェクト(データ)を保持する装置で、分類されたオブジェクトを検索するためのユーザインターフェースに関する。
【背景技術】
【０００２】
従来から、多くのオブジェクトの中から目的とするオブジェクトを抽出するために、検索式または検索キーを構成し、この検索式よりデータベースを通じて複数存在するオブジェクトを絞り込む手法により、目的とするオブジェクトを探しあてる動作を行ってきた。
【特許文献１】特開平０１−２５９４５４号公報
【発明の開示】
【発明が解決しようとする課題】
【０００３】
しかしながら、大量のオブジェクトの中から目的とするオブジェクトを探し当てるためには的確な検索式を入力しなければならない。
【０００４】
例えば、あまりに広範囲な領域をカバーする検索式であれば、検索により抽出されたオブジェクトの数が多く、目的とするオブジェクトが抽出されたオブジェクトの中に含まれていたとしてもそれを特定することは困難となり、逆にあまりに狭い範囲となる検索式で検索した場合、抽出されたオブジェクトの数は少ないものの、その抽出されたオブジェクトの中に目的とするオブジェクトが含まれない可能性がある。
【０００５】
前者の場合、抽出されたオブジェクトのみを対象に新たな検索式に基づいて絞込み検索を行う手法が実用化されているが、後者の場合、全オブジェクトを対象に新たな検索式を入力して検索を行う必要があるため、操作が煩雑であり、これにより目的のオブジェクトを抽出できるという保証もない。
【０００６】
本発明においては、上記問題に鑑み、容易に検索式を生成し、一度検索を行った後に、再検索を容易に行う手法を提案する。
【課題を解決するための手段】
【０００７】
上記課題を解決するために、本発明のオブジェクト検索装置は、様々なリンク情報や属性情報を有する複数の種類のデータを蓄積し、データをキーワードを入力することによって絞込み検索を行うことができる電子機器において、蓄積された複数のオブジェクトのうち、任意の複数のオブジェクトを選択する手段を有し、選択された複数のオブジェクトから属性情報を抽出し、それぞれの属性を共通にもつオブジェクトの数を集計する手段を有することを特徴とする。
【０００８】
また、本発明のオブジェクト検索装置は、上記オブジェクトの種類のうちの１つまたは複数が、属性そのものであることを特徴とする。
【０００９】
また、本発明のオブジェクト検索装置は、属性を自動的に付加したオブジェクトのみ、または手動で付加したオブジェクトのみを抽出する手段を有することを特徴とする。
【００１０】
また、本発明のオブジェクト検索装置は、選択された複数のオブジェクトから属性情報を抽出し、それぞれの属性を共通にもつオブジェクトの数の集計結果から、その属性をもつオブジェクトの数を属性とともに表示する手段を有することを特徴とする。
【００１１】
また、本発明のオブジェクト検索装置は、それぞれの属性を共通にもつオブジェクトの数の集計結果から、その属性をもつオブジェクトの数の多い順に属性を並べ替え、表示する手段を有することを特徴とする。
【００１２】
また、本発明のオブジェクト検索装置は、属性を表示する際、属性の種別毎にまとめて表示する手段を有することを特徴とする。
【００１３】
また、本発明のオブジェクト検索装置は、属性の種別が日付,時間であることを特徴とする。
【００１４】
また、本発明のオブジェクト検索装置は、属性の種別が場所であることを特徴とする。
【００１５】
また、本発明のオブジェクト検索装置は、自動付加オブジェクトと手動付加したオブジェクトを分けて表示する手段を有することを特徴とする。
【００１６】
また、本発明のオブジェクト検索装置は、表示された複数の属性に対して、ユーザが複数の属性を選択する手段を有し、選択された複数の属性を論理演算式で連結して検索式を生成する手段を有することを特徴とする。
【００１７】
また、本発明のオブジェクト検索装置は、オブジェクトをキーワードを入力することによって絞込み検索を行うことができる電子機器において、キーワードの入力による検索結果全ての属性情報を抽出し、それぞれの属性を共通にもつ検索結果のオブジェクトの数を集計する手段を有することを特徴とする。
【００１８】
また、本発明のオブジェクト検索装置は、抽出された複数の属性を、その属性に属する検索結果のオブジェクトの数とともに表示する手段を有することを特徴とする。
【００１９】
また、本発明のオブジェクト検索装置は、抽出された複数の属性を、その属性に属する検索結果のオブジェクトの数とともに表示する手段を有することを特徴とする。
【００２０】
また、本発明のオブジェクト検索装置は、抽出された複数の属性をその属性に属する検索結果のオブジェクトの数の多い順に属性を並べ替える手段を有することを特徴とする。
【００２１】
更に、本発明のオブジェクト検索装置は、表示された複数の属性に対して、ユーザが複数の属性を選択する手段を有し、選択された複数の属性を論理演算式で連結して検索式を生成する手段を有することを特徴とする。
【発明の効果】
【００２２】
以上説明したように、本発明の請求項1,2によれば、属性もオブジェクトのひとつとして扱うことができ、複数のオブジェクトからオブジェクトが持つ属性を抽出し、まとめることができる。
【００２３】
また、本発明の請求項3によれば、検索のために属性を手動で入力したものと自動的に入力されたものとを切り分けて検索、表示することができる。
【００２４】
また、本発明の請求項4,5,6,7,8,9によれば、抽出された属性をユーザに見やすいように分類、表示することができる。
【００２５】
また、本発明の請求項10によれば、自動的に集計された属性情報をもとにオブジェクトの検索式を容易に構成することができる。
【００２６】
また、本発明の請求項11によれば、選択したオブジェクトの保有する日時情報の範囲を集計、利用することができる。
【００２７】
また、本発明の請求項12,13によれば、一度検索式を入力して検索し、絞り込んだ候補の中に目的とするオブジェクトがなかった場合、関連するキーワードを1つ抽出して、新たな関連する検索式を生成することができる。
【００２８】
また、本発明の請求項14,15によれば、一度検索式を入力して検索し、絞り込んだ候補の中に目的とするオブジェクトがなかった場合、関連するキーワードを抽出し、既に絞り込まれた候補のうち、共通度の高い属性から順に表示することができる。
【００２９】
更に、本発明の請求項16によれば、一度検索式を入力して検索し、絞り込んだ候補の中に目的とするオブジェクトがなかった場合、共通度の高い属性から順に表示された属性から任意に属性を選択し、関連するキーワードとして、新たな関連する検索式の作成をすることができる。
【発明を実施するための最良の形態】
【００３０】
(第1の実施例)
以下、図1〜図5に基づき、本発明によるオブジェクト検索装置の好適な実施例を説明する。
【００３１】
図1は本発明のオブジェクト検索装置のハードウェアブロック図である。
【００３２】
オブジェクト検索装置は、一般的なコンピュータと同様の装置により構成される。すなわち、動作全体の制御を行うCPU11、読み書き可能なメモリ(RAM)12、読み込み専用メモリ(ROM)13、キーボードやマウスのような入力装置(Input Method)14、表示装置(Display)15、クロックを供給するリアルタイムクロック(RTC)16、オブジェクトを蓄積する外部メモリ(Ext. Memory)17、それぞれの装置間の情報の伝送を行うバス18より成る。
【００３３】
本発明のオブジェクト検索装置のプログラムもROM13に格納する。
【００３４】
本発明のオブジェクト検索装置においては、様々なオブジェクトを扱うことができるが、本実施例においては、それに加えて、それぞれのオブジェクトにはオブジェクトの更新時間のようにシステムが自動的に付加した属性情報と、ユーザが任意に付加した属性情報を扱うことができるものとする。
【００３５】
本発明のオブジェクト検索装置においては、初期画面は図2のように、登録されているオブジェクトをサムネイルまたはアイコン表示し(23)、直接検索式を入力したり属性を入力するための画面を表示するためのボタン21と、属性そのものを検索するためのボタン22を持つ。
【００３６】
直接検索式を入力したり、属性を入力してオブジェクトを検索する方法については一般的であるため、本実施例での説明は割愛する。
【００３７】
本実施例では、属性そのものを検索し、その属性からオブジェクトを絞り込む方法について説明する。
【００３８】
図3,4にそれぞれ、本実施例のオブジェクト検索装置の構成と、動作の流れを示す。
【００３９】
まず、全てのオブジェクトが表示された状態で(ステップs31,s401)、目的とするオブジェクトに比較的近い内容を含んだオブジェクトを複数、図2の画面から選択する(ステップs32,s402)。選択されたオブジェクトはハイライト表示される(24)。
【００４０】
次に、ボタン22を押して、ステップs33の属性検索手段により、属性検索を行う。属性検索手段s33では、ステップs403において前記選択された複数のオブジェクトに登録されている属性を全て抽出し、ステップs404でステップs403において抽出された属性ごとに、属性を持つ前記選ばれたオブジェクトの個数を計数する。また、同時に、ステップs402で選択された対象オブジェクト全ての最新更新日時を抽出し、最も過去の日時と最も最近の日時を検出する。
【００４１】
次に属性並べ替え手段(ステップs34)において、ステップs404で集計された更新時間と属性に対し、更新日時の最も古い日時と最新の日時をオブジェクトの日時範囲として表示し、同時にその属性を持つオブジェクトの数の多い順に属性のリストを並べ替え(ステップs405)、属性集計結果表示手段s35において、ステップs405において並べ替えられた順番に属性を表示する(ステップs406)。
【００４２】
表示した例を図5に示す。
【００４３】
図5には、選択したオブジェクトから抽出した更新日時の範囲51と、並べ替えられた属性のリストを順番にチェックボックス53とその属性に属する選択したオブジェクトの数ともに表示する(52)。更に、図5の画面を終了して図2のような全てのオブジェクト表示画面に戻るためのボタン54、更にこの属性集計結果をもとにオブジェクト検索を行うためのボタン55を表示している。
【００４４】
選択したオブジェクトからの属性を一覧するのであれば、ここまでの操作で終了して良い(ステップs407)。
【００４５】
ここまでの属性検索結果を踏まえて更にオブジェクトの検索を行う場合、ステップs408に進む。
【００４６】
図5において、ユーザは検索したいオブジェクトのキーとなる日時と属性に対して、操作を行う。日時の範囲をチョイス56を操作することにより設定を行い、属性においては、検索式のキーとしたい属性に対するチェックボックス53をチェックする。本実施例においては、検索式生成手段s36において、日時とチェックされたそれぞれの属性に対し、AND演算式により、検索式を生成する(ステップs409)。
【００４７】
例えば、図5のように、日時が1999年9月24日〜2001年9月24日、属性が「自分で撮影」と「メールで送った」を選択されていた場合、検索式は、
(日時(1999年9月24日〜2001年9月24日)) AND (自分で撮影)AND(メールで送った)
となる。
【００４８】
上記検索式を用いてオブジェクト検索手段s37により全てのオブジェクトから上記検索式に合致するオブジェクトの検索を行い(s410)。オブジェクト表示手段s31において抽出されたオブジェクトを図6のように表示する(s411)。
【００４９】
目的とするオブジェクトが検索できた場合、終了する(s412)。目的となるオブジェクトが検索できなかった場合、ステップs408に戻って、再度検索式を構成し、オブジェクトの再検索を行う。
【００５０】
本実施例では、ステップs409において、日時と選択した属性全てをAND論理により検索式を構成したが、ANDではなく、ORで検索式を構成しても良い。
【００５１】
または、それぞれの項目において、ANDとORを選択できる構成にしても良い。
【００５２】
また、検索式に、日時を「含める」または「含めない」を選択できる構成でも良い。
【００５３】
また、属性を検索するときや、オブジェクトを検索するときに、付加された属性が自動的に付与されたものであるか、手動で付与されたものであるかを明確に切り分けて選択できる構成にしても良い。
【００５４】
更に、ステップs404で、属性に属する対象オブジェクトの集計を行うときに日時の範囲を別に集計したが、日時だけではなく、場所のように属性の種別がつく属性については個別に集計し、属性を集計した結果の表示を図7のように、日時、場所は、別項目でまとめて表示しても良い。
【００５５】
以上により、オブジェクト検索装置において、直接検索式を入力するのではなく、目的とするオブジェクトと類似のオブジェクトを選択し、属性の抽出を行うことで、属性そのものの検索を行うことができ、また、この属性をもとに検索式を容易に構成することができ、目的とするオブジェクトの抽出の手助けとなる。
【００５６】
また、時として、ユーザが考えもしない検索式を作り出すことが可能となり、思いがけないオブジェクトの発見に至る可能性もある。
【００５７】
(第2の実施例)
以下、図8〜11に基づき、本発明によるオブジェクト検索装置の好適な実施例を説明する。
【００５８】
本実施例のハードウェア構成は第1の実施例と等しい。
【００５９】
図8に、本実施例によるオブジェクト検索装置により検索を行うための画面を示す。
【００６０】
破線81で囲んだ領域に、目的とするオブジェクトの更新されたと思われる時間の範囲を記述し、破線82で囲んだ領域に、目的とするオブジェクトの属すると思われる属性を記述する。
【００６１】
この破線82の領域には、オブジェクト検索装置で扱われている全ての属性を表示し、選択できるような構成でも良い。
【００６２】
図8のように、時間として、1999年9月24日〜2001年9月24日、属性として、「ハワイ旅行」が選択されている場合、検索式はこれらをAND論理演算で構成し、
(1999年9月24日〜2001年9月24日) AND (ハワイ旅行)
となる。
【００６３】
ここで検索実行ボタン83を押すと、上記検索式により、オブジェクト検索装置に格納されている全オブジェクトからの抽出を行う。
【００６４】
検索が終わると、図3のように検索された結果を出力する。Obj1,Obj2,…全てが検索により抽出されたオブジェクトをアイコン表示したものである。
【００６５】
この状態で絞込検索ボタン31を押すと、図8のような検索画面になり、抽出されたオブジェクトから更に絞込検索を行う。
【００６６】
図9の状態で再検索ボタン92を押すと、図8のような検索画面になり、図9の表示に至った検索条件は破棄して、再び検索を行うための入力を行う。
【００６７】
図9の状態で関連検索ボタン93を押すと、以下のことを行う。
a.抽出されたオブジェクト全てから全ての属性を抽出する。
b.それぞれの属性をもつ抽出されたオブジェクトの数を係数する。
c.抽出されたオブジェクトの数が最も多い属性(以下、共通度の最も高い属性)を抽出する。
d.共通度の最も高い属性を検索式とし、オブジェクト検索装置に格納されている全てのオブジェクトを検索する。
【００６８】
以上の動作を行う本発明のオブジェクト検索装置の構成のブロック図を図10に、フローチャートを図11に示す。
【００６９】
まずは検索式入力手段s101において検索式をユーザが入力し(ステップs111)、検索手段s102においてオブジェクト検索装置に格納されている全オブジェクトから検索を行い(ステップs112)、検索結果表示手段s103において検索結果を表示する(ステップs113)。
【００７０】
ステップs114において、目的とするオブジェクトを見つけることができたら、終了する。
【００７１】
そうでない場合は、共通属性抽出手段s104において、ステップs112で抽出されたオブジェクトから全ての属性を抽出し、ステップs112で抽出されたオブジェクトの最も多くが属する属性(共通度の最も高い属性)を抽出する(s114)。更に共通度の最も高い属性から検索式を生成し、再び検索手段s42により検索を行う(s112)。
【００７２】
以上により、オブジェクト検索装置において、絞り込みすぎた検索を行ったことにより目的とするオブジェクトを抽出できなかった場合、自動的に関連する検索式を生成して検索することで、容易に範囲を広げた検索を行うことができ、これにより目的とするオブジェクトを抽出する手助けとなる。
【００７３】
また、時として、ユーザが考えもしない検索式を作り出すことが可能となり、思いがけないオブジェクトの発見に至る可能性もある。
【００７４】
(第3の実施例)
以下、図9,12,13に基づき、本発明によるオブジェクト検索装置の好適な実施例を説明する。
【００７５】
本実施例のハードウェア構成は第1の実施例と等しい。
【００７６】
図12は本実施例の流れである。
【００７７】
まず、ステップs121において、ユーザの操作により検索式を入力し、この検索式に基づいてステップs122において、格納されているオブジェクトを絞込検索し、結果をステップs123において表示する。
【００７８】
表示画面は、第1の実施例と同様、図10のような表示となる。
【００７９】
ステップs124において検索結果の中に目的とするオブジェクトを見つけることができたら終了する。
【００８０】
ここまで、ユーザが本発明のオブジェクト検索装置に格納されたオブジェクトに対して検索式を入力して、検索結果を表示するまでの流れは第1の実施例と等しい。
【００８１】
次に、ステップs124において目的のオブジェクトが含まれなかった場合、絞込検索ボタン91を押すことで絞込み検索を行うか、再検索ボタン92を押すことで新規に検索をしなおすか、関連検索ボタン93を押すことで、再び目的とするオブジェクトを探す。
【００８２】
再検索ボタン91,絞込検索ボタン92を押したときの振る舞いは第1の実施例で説明したとおりである。
【００８３】
関連検索ボタン93を押すとまず、ステップs124において検索結果のオブジェクトの中から全ての属性を抽出し、それぞれの属性をもつ、検索結果のオブジェクトの数を数える。
【００８４】
次にステップs125において、ステップs124で数えられたオブジェクト数の多い順に属性を並べ替えて、図13のように表示する(ステップs126)。
【００８５】
図13の領域131にはステップs122で行った検索の条件を表示し、領域132にはステップs124で並べ替えられた属性をその属性をもつオブジェクトの数とともに表示する。
【００８６】
また、表示された属性ごとにチェックボックス133が設けられており、このチェックボックスをチェックすることにより、次の検索のための検索式を生成するためのキーとする。
【００８７】
図13は、「自分で撮影」と「メールで送った」をチェックされている状態である。
【００８８】
この状態で検索実行ボタン74を押すと、ステップs127でチェックされている属性同士をORで結合し、領域71に表示されている時間の範囲とANDをとる。
【００８９】
すなわち、検索式は、
(1999年9月24日〜2001年9月24日) AND ((自分で撮影) OR (メールで送った))
となる。
【００９０】
上記検索式を用いてステップs132において検索を行い、ステップs133において検索結果を表示する。
【００９１】
以上により、第2の実施例と比較して、検索式をユーザにより選択可能となり、また複数の属性を選択できるため、より幅の広い検索システムとすることが可能となる。
【図面の簡単な説明】
【００９２】
【図１】本発明のオブジェクト検索装置を組み込むための機器構成をあらわす図である。
【図２】本発明の第1実施例の検索を行うための初期画面をあらわす図である。
【図３】本発明の第1実施例の属性抽出を行った結果を表示した画面をあらわす図である。
【図４】本発明の第1実施例のオブジェクト検索を行った結果を表示した画面をあらわす図である。
【図５】本発明の第1実施例の動作をあらわすブロック図である。
【図６】本発明の第1実施例の動作をあらわすフローチャートである。
【図７】本発明の第1実施例の属性抽出結果の表示において、場所に関する種別の属性をひとまとめにして表示する例である。
【図８】本発明の第2実施例の検索を行うための初期画面をあらわす図である。
【図９】本発明の第2実施例の検索を行った結果を表示した画面をあらわす図である。
【図１０】本発明の第2実施例の動作をあらわすブロック図である。
【図１１】本発明の第2実施例の動作をあらわすフローチャートである。
【図１２】本発明の第3実施例の動作をあらわすフローチャートである。
【図１３】本発明の第3実施例の関連検索を行う検索式を生成するための属性を選択する画面をあらわす図である。
【符号の説明】
【００９３】
11  CPU
12  RAM
13  ROM
14  入力装置
15  ディスプレイ
16  リアルタイムクロック
17  外部メモリ
18  バス
23  オブジェクトのアイコン,サムネイル
24  オブジェクトを選択されたことを示すハイライト
31  検索範囲の日時
32  抽出された属性群
81  検索を行うための検索式のための更新時間を定める領域
82  検索を行うための検索式のための属性値を定める領域
84  検索実行ボタン
93  関連検索ボタン
【図１】
2005327172.tif 000003
【図２】
2005327172.tif 000004
【図３】
2005327172.tif 000005
【図４】
2005327172.tif 000006
【図５】
2005327172.tif 000007
【図６】
2005327172.tif 000008
【図７】
2005327172.tif 000009
【図８】
2005327172.tif 000010
【図９】
2005327172.tif 000011
【図１０】
2005327172.tif 000012
【図１１】
2005327172.tif 000013
【図１２】
2005327172.tif 000014
【図１３】
2005327172.tif 000015